(57)【要約】      （修正有）【課題】紙製カップ容器等の商品容器１において、収納されたディスクの取り付け取り出しが容易で、内的及び外的衝撃からの保護性に優れ、収納容器の操作による毀損が発生し難いディスク収蔵蓋体を提供する。【解決手段】上端縁に外向きカール部からなるフランジ部を有する紙カップ本体と、紙カップ本体の胴部外面のフランジ直下に取り付けられる紙製の外筒とからなる紙製容器１を閉塞するディスク収蔵蓋体において、外周に僅少な周縁部３２を有するリング状リブ３１によってディスク載置面が形成されたディスク載置用トレイ３と、前記ディスク載置面とでディスクを挟持する蓋部天板の外周縁に保護枠部２４を形成し、該保護枠部２４の縁辺に前記ディスク載置用トレイの周縁部が内接嵌合し、かつ紙製容器のフランジ部１２を内包するように嵌め合わされる嵌合縁２５を形成した蓋本体２とからなることを特徴とするディスク収蔵蓋体。【選択図】図２
2005170436.tif 000002
【特許請求の範囲】
【請求項１】
上端縁に外向きカール部からなるフランジ部を有する紙カップ本体と、上方及び下方共に開口しており下方開口縁に内向きカール部を有し紙カップ本体の胴部外面のフランジ部直下に取り付けられる紙製の外筒とからなる紙製容器のフランジ部に嵌着される蓋本体と該蓋本体に内接嵌着されるディスク載置用トレイとからなるディスク収蔵蓋体において、ディスク載置面と該ディスク載置面の外周縁に形成されるリング状リブと該リング状リブの外周に僅少な周縁部を有し、前記ディスク載置面の中央部に断面変形十字型のディスクセンターホール保持突起を突設し、該ディスクセンターホール保持突起の基部周辺にトレイ底面より僅かに浮き上がらせた円形のディスク中央保持部を形成するとともに、前記リング状リブの内周基部内側に前記ディスク中央保持部と同じ高さを持つディスク外周保持部を形成し、かつ前記ディスク中央保持部から外周縁に向けて放射状に複数の凹溝を設けてなり、前記リング状リブおよび周縁部の一部を切り欠いて指掛け部を形成したディスク載置用トレイと、前記ディスク載置面とでディスクを挟持する蓋部天板と、該蓋部天板の外周縁に保護枠部を形成し、該保護枠部の縁辺に前記ディスク載置用トレイの周縁部が内接嵌合し、かつ商品容器のフランジ部を内包するように嵌め合わされる嵌合縁を形成した蓋本体とからなることを特徴とするディスク収蔵蓋体。
【請求項２】
前記蓋本体の蓋部天板中央部に前記ディスクセンターホール保持突起頭部が当接嵌入する中央突起部を形成し、該中央突起部周辺に略円形平坦部と、前記中央突起部から外周縁に向けて複数の放射状の溝部とを形成したことを特徴とする請求項１記載のディスク収蔵蓋体。
【発明の詳細な説明】
【技術分野】
【０００１】
本発明は、上端縁にフランジ部を持つ容器入り商品に付される附属物品の収納構造に関するもので、特に、上端縁に外向きカール部からなるフランジ部を有する紙カップ本体と、上方及び下方共に開口しており下方開口縁に内向きカール部を有し紙カップ本体の胴部外面のフランジ部直下に取り付けられる紙製の外筒とからなる紙製容器にＣＤ（コンパクトディスク）等のディスクを収蔵してなる蓋体構造に関するものである。
【背景技術】
【０００２】
従来、商品あるいは商品容器にノベルティ等その他附属物品を取り付け販売促進の一助とすることが一般に行われており、例えば飲料の瓶容器では合成樹脂製袋にノベルティを封入し、これを瓶首部に吊下げる方法が一般的であるし、菓子・食品の紙函では紙函内に直接ノベルティを封入したり、別の紙函にノベルティを封入し、合成樹脂製フィルムによる熱収縮包装によって一体化する方法も行われてきた。その中で、例えばディスク（コンパクトディスク、ＤＶＤ、ＣＤ−Ｒ）のように、毀損により障害の発生する内容物を収納するドリンク容器のための密閉体が開示されている（例えば特許文献１参照）。
【特許文献１】特表２００２−５２５２４９号公報
【０００３】
上記文献中の第６実施例に示される密閉体は、ディスクを収納載置する部分の外側に実質的に円筒形のフランジ部分と、さらに切頭円錐形フランジ部分が形成され、切頭円錐形フランジ部分には容器のビード部等に係合する内側向き突起が形成された内側部材と、内側部材との間でディスクを収納するコンパートメントを形成するとともに、ディスク収納部分の外側に実質的に円筒形のフランジ部分と、さらに切頭円錐形フランジ部分が延設され、切頭円錐形フランジ部分には内側向き突起が形成された外側部材とからなり、前記内側部材に外側部材が入れ子式に嵌合されるものである。これを用いれば、ディスク状の商品の揺動は生じにくいため毀損が起こりにくく、障害の発生を防げるというものである。
【０００４】
しかしながら、前述の特許文献に開示された密閉体では、ディスクを収納している外側部材とディスクとが略密着状態にあるため、外的衝撃にさらされた場合にディスクの毀損発生が起こりやすく、同じく内側部材もディスクと略密着しているため、商品容器内に収められた内容物品の揺動等による内的衝撃によっての毀損発生も起こりやすい。また内側部材と外側部材とは入れ子式に嵌合されるので、全体として嵌着操作に時間を要し、作業性に劣るばかりでなく、内外部材間相互の離脱が行いにくく、離脱操作の際に誤ってディスクを取り落とし毀損しやすいという欠点があった。さらに実質的に内側部材のディスク状部分に収納されるディスクの取り出しが行いにくく、操作を誤ってディスクを取り落とし毀損しやすいという欠点もあった。
【発明の開示】
【発明が解決しようとする課題】
【０００５】
そこで、本発明の目的は、上記問題を解決するためになしたものであって、上端縁にフランジ部を持つ容器入り商品に付される附属物品の収納構造に関するもので、特に、上端縁に外向きカール部からなるフランジ部を有する紙カップ本体と、上方及び下方共に開口しており下方開口縁に内向きカール部を有し紙カップ本体の胴部外面のフランジ部直下に取り付けられる紙製の外筒とからなる紙製容器の頂部に取り付け可能なノベルティその他附属物品の収納容器、特にディスクを収納する容器において、商品容器への取り付けが容易で、内的及び外的衝撃からの保護性に優れ、かつ収納されたディスクの取り出しが容易で、収納容器の操作による毀損が発生し難いディスク収蔵蓋体を提供することにある。
【課題を解決するための手段】
【０００６】
上記課題を解決するため、請求項１の発明は、上端縁に外向きカール部からなるフランジ部を有する紙カップ本体と、上方及び下方共に開口しており下方開口縁に内向きカール部を有し紙カップ本体の胴部外面のフランジ部直下に取り付けられる紙製の外筒とからなる紙製容器のフランジ部に嵌着される蓋本体と該蓋本体に内接嵌着されるディスク載置用トレイとからなるディスク収蔵蓋体において、ディスク載置面と該ディスク載置面の外周縁に形成されるリング状リブと該リング状リブの外周に僅少な周縁部を有し、前記ディスク載置面の中央部に断面変形十字型のディスクセンターホール保持突起を突設し、該ディスクセンターホール保持突起の基部周辺にトレイ底面より僅かに浮き上がらせた円形のディスク中央保持部を形成するとともに、前記リング状リブの内周基部内側に前記ディスク中央保持部と同じ高さを持つディスク外周保持部を形成し、かつ前記ディスク中央保持部から外周縁に向けて放射状に複数の凹溝を設けてなり、前記リング状リブおよび周縁部の一部を切り欠いて指掛け部を形成したディスク載置用トレイと、前記ディスク載置面とでディスクを挟持する蓋部天板と、該蓋部天板の外周縁に保護枠部を形成し、該保護枠部の縁辺に前記ディスク載置用トレイの周縁部が内接嵌合し、かつ商品容器のフランジ部を内包するように嵌め合わされる嵌合縁を形成した蓋本体とからなることを特徴とするディスク収蔵蓋体であって、蓋本体外周の保護枠部にディスク載置用トレイを内接嵌合させることにより、収納操作が容易でかつ商品容器への取り付け操作の作業性を上げ、また、蓋本体の外周に保護枠部を設けたことにより外的衝撃からディスクを保護するとともに、ディスク載置用トレイの僅少な周縁部とリング状リブとの一部を切り欠いて指掛け部を形成したことにより、商品容器から蓋体を取り外した後、蓋本体からディスク載置用トレイを取り出す操作が指掛け部を用いて行えるので容易となるばかりでなく、ディスク載置用トレイからディスクを取り外す操作も指掛け部を用いて簡便に行える。
【０００７】
また、請求項２の発明は、前記蓋本体の蓋部天板中央部に前記ディスクセンターホール保持突起頭部が当接嵌入する中央突起部を形成し、該中央突起部周辺に略円形平坦部と、前記中央突起部から外周縁に向けて複数の放射状の溝部とを形成したことを特徴とする請求項１記載のディスク収蔵蓋体であって、蓋部天板に略円形平坦部と放射状溝部を形成し収納したディスクと蓋部天板との密着度を低くしたことにより、蓋部天板方向からの外的衝撃に対してディスクを保護することができる。
【発明の効果】
【０００８】
本発明のディスク収蔵蓋体は、上端縁に外向きカール部からなるフランジ部を有する紙カップ本体と、上方及び下方共に開口しており下方開口縁に内向きカール部を有し紙カップ本体の胴部外面のフランジ直下に取り付けられる紙製の外筒とからなる紙製容器に取り付け可能なノベルティその他附属物品の収納容器、特にディスクを収納する蓋体であって、ディスク載置用トレイの周縁部が、蓋本体の蓋部天板の外周縁に形成された保護枠部の縁辺に内接嵌合するとともに、蓋本体が前記商品容器の頂部に外嵌合することにより、ディスクの収納とディスク載置用トレイの嵌合が容易に行え、かつ蓋本体の商品容器頂部への外嵌合を容易に行うことが出来るという効果が得られる。
【０００９】
さらにディスク載置用トレイの僅少な周縁部と前記リング状リブとの一部を切り欠いて指掛け部を形成したことにより、蓋本体からディスク載置用トレイを容易に取り出すことが出来るとともに、ディスク載置用トレイからディスクを容易に離脱させることが出来、操作を誤って取り落としディスクを毀損するような事故を防ぐという効果が得られる。
【００１０】
また、前記蓋本体の蓋部天板の外周縁に形成された保護枠部により外的圧力や外的衝撃からディスクを保護するとともに、前記蓋部天板中央の略円形平坦部および放射状の溝部と、段差を持つ保護段丘部を形成して、収納したディスクと蓋部天板との密着度を低くしたことにより、蓋部天板方向からの外的衝撃に対してもディスクを保護し、前記ディスク載置用トレイに形成したディスクセンターホール保持突起によってディスクを安定的に嵌着させ、ディスク中央保持部とディスク外周保持部によってディスクを複数の放射状の凹溝によって補強されたディスク載置用トレイ底面から浮き上がらせて保持することで、商品容器内の商品自体の揺動等によって生じる内的衝撃からディスクを保護する効果を有するものである。
【発明を実施するための最良の形態】
【００１１】
上記本発明について、図面等を用いて以下に詳述する。図１は本発明にかかるディスク収蔵蓋体の実施例を商品容器に取り付けた使用状態を示す斜視図。図２は同じく実施例の各構成要素を示す説明用斜視図。図３は同じく実施例の商品容器である紙製容器の断面図。図４は同じく実施例を商品容器に取り付けた使用状態を正面から見た端面図。図５は同じく実施例のディスク収蔵蓋体を分解してディスクを取り出した状態を示す端面図である。
【００１２】
図１は本発明にかかるディスク収蔵蓋体の実施例を商品容器に取り付けた使用状態を示す斜視図、図２は同じく実施例の各構成要素を示す説明用斜視図で、図２に示すように、本実施例において、商品容器１は、上端縁に外向きカール部からなるフランジ部１２を有する紙カップ本体１ａと、上方及び下方共に開口しており下方開口縁に内向きカール部１５を有し紙カップ本体１ａの胴部外面のフランジ直下１６に取り付けられる紙製の外筒１ｂとからなる紙製容器で、前記フランジ部１２の上面をシート状蓋材１１で密封されてなるものである。ディスク４は、所定の厚みを有し中央にディスクセンターホール４１とディスク外周縁４２を有する円盤状である。ディスク載置用トレイ３は、前記商品容器１のフランジ部１２の上面に当接する周縁部３２を有し、該周縁部３２の内側にリング状リブ３１を形成して、前記ディスク４を収納する皿状であって、中央には上部に突出した嵌合中央突起３３を有する断面変形十字型のディスクセンターホール保持突起３４を形成し、該ディスクセンターホール保持突起３４の基部周辺にトレイ底面３７より僅かに浮き上がらせた円形のディスク中央保持部３５を形成するとともに、前記リング状リブ３１の内周基部内側に前記ディスク中央保持部３５と同じ高さを持つディスク外周保持部３８を形成し、かつ前記ディスク中央保持部３５から外周縁に向けて放射状に複数の凹溝３６を設け、さらに前記周縁部３２とリング状リブ３１との一部を切り欠いて指掛け部３９を形成したものである。蓋本体２は、前記商品容器１のフランジ部１２を内包するように嵌め合わされる嵌合縁２５を有し、該嵌合縁２５の上部に段差部２６を経て保護枠部２４を形成した被せ蓋であって、中央には中央突起部２１を形成し、該中央突起部２１周辺に略円形平坦部分と、前記中央突起部２１から外周縁に向けて複数の放射状の溝部２２とを形成することにより、前記略円形平坦部分および溝部２２の面よりやや段差の高い略扇型の保護段丘部２３が複数形成され、かつ前記嵌合縁２５には内側に向けて突出する複数の係合リブ２７が形成され、さらに前記保護枠部２４の外側角部には複数のスタックリブ２８が設けられている。
【００１３】
前述のように本発明のディスク収蔵蓋体は、蓋本体２とディスク載置用トレイ３と、その内部に収納されるディスク４と、商品容器１との構成要素からなり、ディスク４を載置したディスク載置用トレイ３を蓋本体２に内接嵌着させたディスク収蔵蓋体が商品容器１に外嵌合し取り付けられて図１に示すような使用状態となる。尚、実施例において商品容器１は、図３の断面図に示されるように、上端縁に外向きカール部からなるフランジ部１２を有する紙カップ本体１ａと、上方及び下方共に開口しており下方開口縁に内向きカール部１５を有し紙カップ本体１ａの胴部外面のフランジ直下１６に取り付けられる紙製の外筒１ｂとからなる紙製容器であるが、これに限定されるものではなく、上方視四角形や上方視角丸型四角形或いは上方視楕円形等各種形状の容器に展開が可能である。またフランジ部の有無に関しても限定されるものでは無い。さらに本体胴部のテーパ状およびカップ状に関しても限定されず、例えば胴部がストレートな丸筒や角筒或いは箱型容器などにも利用することが可能である。
【００１４】
本発明のディスク収蔵蓋体において、蓋本体２とディスク載置用トレイ３は、熱可塑性樹脂あるいは熱可塑性樹脂シートを汎用成型法により成型加工してなるもので、その材料としては、ポリエチレン、ポリプロピレン、ポリカーボネート、ＡＢＳ樹脂などが使用でき、その成型法としては、真空成型や圧空成型などのシートフォーミング法、射出成型法などが使用できる。
【００１５】
図４は実施例を商品容器に取り付けた使用状態を正面から見た端面図で、外筒１ｂを省略した状態を示している。本発明のディスク収蔵蓋体の使用にあたっては、ディスク４をディスク載置用トレイ３のリング状リブ３１内に収納し、ディスクセンターホール４１をディスクセンターホール保持突起３４に嵌め込むことにより、ディスク４の中央部がディスク中央保持部３５に、同じく周縁部がディスク外周保持部３８に保持される。次に、ディスク載置用トレイ３を蓋本体２の開口方向より挿入し、前記ディスク載置用トレイ３の周縁部３２を蓋本体２の段差部２６に当接するとともに、嵌合縁２５に内接嵌着する。同時に嵌合中央突起３３は中央突起部２１に嵌まり込み、ディスク収蔵蓋体自体のセットが完了する。次に商品容器１への取り付けは、商品容器１のフランジ部１２に前記蓋本体２の嵌合縁２５を外嵌合し、該嵌合縁２５に設けられた係合リブ２７が前記フランジ部１２の下端に係合して完了する。上述のごとく本発明のディスク収蔵蓋体は、ディスクの収納および蓋体のセット操作が容易で、かつ蓋体の商品容器への嵌着操作を容易に行うことができる。なお、本実施例において、ディスク載置用トレイ３の周縁部３２はフランジ部１２の上部にシート状蓋材１１を介して当接するが、蓋材による密閉を要しない商品容器の場合には、フランジ部１２の上部に直に当接する設計とすることが出来る。
【００１６】
前述のように、ディスク収蔵蓋体にセットされたディスク４は、蓋本体２とディスク載置用トレイ３との間に挟持された状態で保護される。また前記蓋本体２の中央部略円形の平坦部およびそこから放射状に形成された複数の溝部２２と、図３には現れないが前記放射状の複数の溝部２２によって形成される段差をもつ複数の略扇型の保護段丘部２３によって、蓋部天面側からの外的衝撃に対してディスクを保護し、さらにディスク載置用トレイ３のディスク中央保持部３５とディスク外周保持部３８とは、ディスクの情報記録面を前記ディスク載置用トレイ３の底面と非接触状態に維持するとともに、底面は複数の放射状の凹溝３６によって補強されて、商品容器１内の商品自体の揺動等によって生じる内的衝撃からディスクを保護している。さらに前記蓋本体２の蓋部天板の外周縁に形成された保護枠部２４により外的圧力や外的衝撃からディスクを保護する。
【００１７】
図５は同実施例のディスク収蔵蓋体を分解してディスクを取り出した状態を示す端面図で、本発明のディスク収蔵蓋体からのディスクの取り出しは（図２参照）、セット状態のディスク収蔵蓋体を商品容器１から取り外し、蓋本体２の底面側から指掛け部３９を用いてディスク載置用トレイ３を取り出し、嵌合中央突起３３を支持しながら、前記指掛け部３９よりディスク外周縁４２に指を掛けることによりディスク４を取り外すことが出来る。これにより、蓋本体２からディスク載置用トレイ３を容易に取り出すことが出来るとともに、ディスク載置用トレイ３からディスクを容易に離脱させることが出来、操作を誤って取り落としディスクを毀損するような事故を防ぐことができる。
【図面の簡単な説明】
【００１８】
【図１】本発明に係るディスク収蔵蓋体の実施例を商品容器に取り付けた使用状態を示す斜視図。
【図２】同実施例の各構成要素を示す説明用斜視図。
【図３】同実施例の商品容器である紙製容器の断面図。
【図４】同実施例を商品容器に取り付けた使用状態を正面から見た端面図。
【図５】同実施例のディスク収蔵蓋体を分解してディスクを取り出した状態を示す端面図。
【符号の説明】
【００１９】
１  商品容器
１ａ  紙カップ本体
１ｂ  外筒
２  蓋本体
３  ディスク載置用トレイ
４  ディスク
１０  外筒胴部
１１  シート状蓋材
１２  フランジ部
１３  紙カップ胴部
１４  底板
１５  内向きカール部
１６  （フランジ部直下の）側壁外周
２１  中央突起部
２２  溝部
２３  保護段丘部
２４  保護枠部
２５  嵌合縁
２６  段差部
２７  係合リブ
２８  スタックリブ
３１  リング状リブ
３２  周縁部
３３  嵌合中央突起
３４  ディスクセンターホール保持突起
３５  ディスク中央保持部
３６  凹溝
３７  トレイ底面
３８  ディスク外周保持部
３９  指掛け部
４１  ディスクセンターホール
４２  ディスク外周縁
【図１】
2005170436.tif 000003
【図２】
2005170436.tif 000004
【図３】
2005170436.tif 000005
【図４】
2005170436.tif 000006
【図５】
2005170436.tif 000007